(57)【要約】【課題】棟木、母屋、軒桁等の梁と、隅木、垂木等を備えた寄棟屋根において、隅木により前方を閉鎖された空間においても確実に換気を可能にする。【解決手段】棟木（２）、軒桁（３）等の梁と、垂木（５）、隅木（６）、配付け垂木（７）等を備えた寄棟屋根において、前記垂木（５）間の空間、前記配付け垂木（７）と前記隅木（６）とで囲まれた空間の下側を下地材（８）で閉鎖し、前記下地材（８）の下面側に断熱材（９）を取り付けることにより行う寄棟屋根の換気構造であって、前記下地材（８）は、棟木（２）に当接する部分においては棟木（２）の下面まで延出し、隅木（６）に当接する部分においては隅木（６）の下面まで延出するとともに、棟木（２）の端部近傍においては棟木（２）の下面まで延出したことを特徴とし、これにより配付け垂木（７）と隅木（６）とで囲まれた空間内においても換気を可能にした。【選択図】図１
2007315118.tif 000002
【特許請求の範囲】
【請求項１】
棟木（２）、軒桁（３）等の梁と、垂木（５）、隅木（６）、配付け垂木（７）等を備えた寄棟屋根において、前記垂木（５）間の空間、前記配付け垂木（７）と前記隅木（６）とで囲まれた空間の下側を下地材（８）で閉鎖して行う寄棟屋根の換気構造であって、
前記下地材（８）は、棟木（２）に当接する部分においては棟木（２）の下面まで延出し、隅木（６）に当接する部分においては隅木（６）の下面まで延出するとともに、棟木（２）の端部近傍においては棟木（２）の下面まで延出した、ことを特徴とする寄棟屋根の換気構造。
【請求項２】
前記下地材（８）を棟木（２）又は隅木（６）の下面まで延出するに際して、棟木（２）又は隅木（６）の下面と下地材（８）との間に空間（Ｓ７、Ｓ８）を形成することを特徴とする請求項１に記載の寄棟屋根の換気構造。
【請求項３】
前記下地材（８）の下面に断熱材（９）を装備したことを特徴とする請求項１又は請求項２に記載の寄棟屋根の換気構造。
【発明の詳細な説明】
【技術分野】
【０００１】
本発明は寄棟屋根の換気構造に係り、より詳しくは、上方部分を隅木により閉鎖された空間内の換気を可能にしたことを特徴とする寄棟屋根の換気構造に関する。
【背景技術】
【０００２】
従来から、屋根裏の換気は、屋根材と天井との間のいわゆる屋根裏空間を用いておこなっていたが、近年になり普及しているロフト等では、屋根裏の空間が無いために、このように屋根裏の空間が無い場合には、必然的に、屋根材の下面を利用した換気構造を行わざるを得ない。
【０００３】
そしてそのとき、前述のような、屋根裏の空間が無い場合には断熱材の施工も屋根材の下面で行わざるを得ないために、断熱材の施工をしつつ換気も可能にするために、従来は、垂木間の空間に下地材を配設することにより換気構造の施工を行っていた。
【０００４】
ここで、この構造を説明すると、図１０は切妻屋根における構造部分の一部を概略で示しており、また、図１１は、図１０におけるＭ−Ｍ線断面で見た場合の切妻屋根の構造を示し、更に図１２は、図１０におけるＮ−Ｎ線断面で見た場合の切妻屋根の構造を示した図である。
【０００５】
そして、図において３１は棟木、３２は母屋、更に３３は軒桁であり、軒桁３３から棟木３１にかけては、棟木３１と直交する方向に向けて複数本の垂木３４が並列に架設されており、棟木３１の上方には、棟換気構造４０が備えられている（図１１参照）。
【０００６】
そして、このような構造における換気構造では、例えばダンボール等の下地材を用いて、この下地材を、垂木３４間の空間の下側を閉鎖するような配置で垂木３４の下面に配設し、この下地材の下面に断熱材を施工している。
【０００７】
即ち、図１１及び図１２において３５が下地材としてのダンボールであり、この下地材３５は、垂木３５間の空間Ｓ３１の下側を閉鎖するような配置で、垂木３５の下面に固着されており、この下地材３５の下面には、断熱材としての発泡ウレタン３６を吹き付けて断熱施工をしている。
【０００８】
そして、このように垂木３４間の空間Ｓ４の下側を下地材３５で閉鎖すると、図１０及び図１１において矢印Ｏで示すように、軒桁３３側から垂木３４間の空間Ｓ３１内に入ってきた空気は、この空間Ｓ３１を棟木３１に向かって上昇していき、その後に棟木３１の上方に備えた棟換気構造４０から抜けていき、あるいは反対側の軒桁３３側へ抜け出ていき、これにより、断熱材３６により断熱をしつつ、屋根材の下面で換気を行うことが可能となる。
【０００９】
このように、切妻屋根の場合には、垂木間の空間Ｓ３１の下側をダンボール等の下地材で閉鎖することで換気することが可能であるが、この方法では、寄棟屋根の場合には換気ができない箇所ができてしまうという問題点がある。
【００１０】
即ち、図１３は寄棟屋根の構造を示す図であり、周知のように、寄棟屋根では、四方向に傾斜を作るために隅木３８を有しており、この隅木３８には、屋根の傾斜方向と同一方向に向けて配付け垂木３９の先端部が連結されている。そのために、寄棟屋根では、配付け垂木３９と隅木３８で囲まれた空間Ｓ３２は、その傾斜方向に見た上端部分が隅木３８により閉鎖された閉鎖空間となっている。
【００１１】
従って、このような閉鎖空間Ｓ３２では、その下面を下地材で閉鎖してしまうと、軒桁側３３から閉鎖空間Ｓ３２内に入ってきた空気は、隅木３４の部分で止まってしまい抜け出る箇所が無いために、換気を行うことが不可能になってしまう。
【００１２】
この点、断熱材として断熱用の板材を用いて、この断熱板材を母屋の下部に配設することで換気を可能にした施工方法も提供されており、これによれば、野地材と母屋との間に隙間が形成されるとともに母屋上に載置された隅木の下端面と断熱板材との間にも隙間が形成されるために、換気を行うことが可能となる。
【特許文献１】特開平１０−１２１５９４号公報
【発明の開示】
【発明が解決しようとする課題】
【００１３】
しかしながら、前述のような工法では、母屋の下端面に断熱材取付固定部材を固設する必要があり作業工程が増えてしまうという問題点が考えられる。
【００１４】
また、断熱材として断熱用の板材を用いることを前提としているため、発泡ウレタン等の断熱材を吹き付ける方法と異なり、断熱材の取り付けに手間がかかるという問題点も考えられる。
【００１５】
その一方、前述の工法では、母屋の下端面に断熱材を備える必要があるために、断熱材としては板材を用いざるを得ず、発泡ウレタン等の吹きつけによる断熱材の施工は不可能であるという問題点がある。
【００１６】
また、母屋の下部に断熱材を配設する方法では、母屋を用いないツーバイフォーの場合には対応できないという問題点も指摘できる。
【００１７】
そこで、本発明は、棟木、軒桁等の梁と、垂木、隅木、配付け垂木等を備えた寄棟屋根において、隅木により上端部分を閉鎖された閉鎖空間においても確実に換気を可能にした換気構造を提供することを課題としている。
【課題を解決するための手段】
【００１８】
本発明の寄棟屋根の換気構造は、棟木、軒桁等の梁と、垂木、隅木、配付け垂木等を備えた寄棟屋根において、前記垂木間の空間、前記配付け垂木と前記隅木とで囲まれた空間の下側を下地材で閉鎖して行う寄棟屋根の換気構造であって、
前記下地材は、棟木に当接する部分においては棟木の下面まで延出し、隅木に当接する部分においては隅木の下面まで延出するとともに、棟木の端部近傍においては棟木の下面まで延出した、ことを特徴としている。
【００１９】
また、本発明の寄棟屋根の換気構造は、前記下地材を棟木又は隅木下面まで延出するに際して、棟木又は隅木の下面と下地材との間に空間を形成することも特徴としている。
【発明の効果】
【００２０】
本発明の寄棟屋根の換気構造では、寄棟屋根において、垂木間の空間、配付け垂木と隅木とで囲まれた空間の下側を下地材で閉鎖するに際して、前記下地材を、棟木に当接する部分においては棟木の下面まで延出し、隅木に当接する部分においては隅木の下面まで延出し、更に、棟木の端部近傍においては棟木の下面まで延出することとしており、これにより、下地材が棟木に当接する部分近傍及び下地材が隅木と当接する部分近傍において垂木又は配付け垂木の下面と下地材との間に空間を形成し、更に、棟木の端部近傍において、隅木の下面と下地材との間に空間が形成されるようにしている。
【００２１】
そのため、上端部分側を隅木により閉鎖されている空間に入ってきた空気は、まず、下地材が隅木と当接する部分近傍における配付け垂木の下面と下地材との間の空間を通って棟木の端部近傍まで上昇していき、その後、棟木の端部近傍において、隅木の下面と下地材との間の空間、下地材が棟木に当接する部分近傍における配付け垂木の下面と下地材との間の空間を通過して垂木間の空間に流れていき、その後、棟換気構造を介して屋根の外側に抜け出て行く。
【００２２】
そしてこのとき、下地材を棟木又は隅木下面まで延出するに際して、棟木又は隅木の下面と下地材との間に空間を形成することにより、棟木と垂木、隅木と垂木の高さ方向の寸法が同一であるツーバイフォーの場合でも換気を行うことができる。
【００２３】
従って、本発明によれば、隅木により上端部分を閉鎖された空間においても確実に換気を行うことが可能である。
【発明を実施するための最良の形態】
【００２４】
本発明の寄棟屋根の換気構造では、棟木、軒桁等の梁と、垂木、隅木、配付け垂木等を備えた寄棟屋根において、垂木又は配付け垂木の下面にダンボール等の下地材を貼り付けることにより、垂木間の空間、配付け垂木と隅木とで囲まれた空間の下側を下地材で閉鎖するとともに、下地材の下面側には、発泡ウレタン等の断熱材を吹き付けて構成されている。
【００２５】
そして、前記下地材は、棟木に当接する部分においては棟木の下面まで延出しており、これにより、下地材が棟木に当接する部分近傍において、垂木の下面と下地材との間に、空間を形成している。
【００２６】
また、前記下地材は、隅木に当接する部分において隅木の下面まで延出するとともに、棟木の端部近傍においては棟木の下面まで延出しており、これにより、下地材が隅木と当接する部分近傍において配付け垂木の下面と下地材との間に空間を形成するとともに、棟木の端部近傍において隅木の下面と下地材との間に空間を形成している。
【００２７】
そしてこれらにより、上端部分を隅木により閉鎖された空間に入ってきた空気が、下地材が隅木と当接する部分近傍における配付け垂木の下面と下地材との間の空間を通って棟木の端部近傍まで上昇した後に、隅木の下側等を通過して垂木間の空間に流れていき棟換気構造を介して屋根の外側に抜け出て行くことを可能にしている。
【００２８】
ここで、前記下地材を棟木又は隅木下面まで延出するに際して、スペーサーを介して、棟木又は隅木の下面と下地材との間に空間を形成してもよく、これによれば、棟木と垂木、隅木と垂木の高さ方向の寸法が同一であるツーバイフォーの場合でも、垂木間に入ってきた空気や上端部分を隅木により閉鎖されている空間に入ってきた空気を外部に出すことが可能である。
【実施例１】
【００２９】
本発明の寄棟屋根の換気構造の実施例について図面を参照して説明すると、図１は、寄棟屋根における骨組み部分を示す平面図であり、図２は、図１におけるＡ−Ａ線端面を拡大して示した図であり、図３は、図１におけるＢ−Ｂ線断面部分の近傍を拡大して示した図であり、図４は、図１におけるＤ−Ｄ線端面を拡大した図であり、図５は、図１におけるＣ−Ｃ線断面部分の近傍を拡大して示した斜視図であり、更に、図６は、図１におけるＥ−Ｅ断面を示した図である。
【００３０】
そして、本実施例における寄棟屋根は、棟木及び隅木により四方向に傾斜が作られた構造としており、以下においては、図１において左側の傾斜面を「正面側屋根部１ａ」、右側の傾斜面を「背面側屋根部１ｃ」、上側及び下側の傾斜面を「側面側屋根部１ｂ」と称する。
【００３１】
即ち、図において２は棟木であり、また、図において３は軒桁、４は母屋であり、前記棟木２の上方には、図１において点線で示した棟換気構造１１が備えられている。
【００３２】
更に、図において５は、軒桁３から棟木２に掛けて架設された垂木であり、この垂木５は、軒桁３から棟木２にかけて複数本が平行に架設されており、従って、垂木５間には空間Ｓ１（以下「連通空間」という。）が形成されているとともに、この連通空間Ｓ１は、一方面の軒桁３側から反対面の軒桁３側まで連通された空間とされている。そしてこれにより、軒桁３側から垂木５間の空間Ｓ１に入ってきた空気は、矢印Ｆで示しているように、屋根の傾斜方法に沿って棟木２に向かって上昇していった後に、棟換気構造１１を介して屋根の外側へ抜け出て行くことが可能となる。
【００３３】
次に、図において６は隅木、７は上端を前記隅木６に連結された配付け垂木であり、前記隅木６の先端部分は前記棟木２の端部近傍上に設置されており、配付け垂木７の高さ寸法は、図４及び図５からも明らかなように、隅木６の高さ寸法よりも短いとともに、配付け垂木７は、上面を隅木７の上面と揃えた状態で隅木７に連結されている。
【００３４】
そして、配付け垂木７と隅木６により囲まれた空間Ｓ２はいずれも、屋根の傾斜方向に向いた上方側を前記隅木６により閉鎖された空間とされている。そのために、何らの手当てをしない場合には、軒桁３側からこれらの空間Ｓ２内に入ってきた空気は、屋根の頂上へ向けて上昇した後に、隅木６に遮られてしまい抜け出ることができず、そのまま空間Ｓ２内に止まってしまい、換気を行うことができないことになる。
【００３５】
次に、図２乃至図６において８は下地材である。即ち、本実施例の寄棟屋根の換気構造では、前記連通空間Ｓ１及び閉鎖空間Ｓ２の下側面に下地材８を配設しており、これにより、前記連通空間Ｓ１及び閉鎖空間Ｓ２を換気用の空間としている。
【００３６】
そして、本実施例では、前記下地材８としてはダンボール紙を用いており、この下地材８を、前記垂木５及び配付け垂木７の下面にステープル等の綴じ金具で固着して、前記連通空間Ｓ１及び閉鎖空間Ｓ２の下面を閉鎖している。
【００３７】
更に、本実施例の寄棟屋根の換気構造では、前記下地材８の下面に、断熱材としての発泡ウレタン７を吹き付けており、これにより屋根裏における断熱を可能にしている。
【００３８】
ここで、本実施例における前記下地材８の取り付け方法について説明すると、図２及び図３において、前記連通空間Ｓ１の下面を閉鎖する下地材８は、垂木５の下面にステープル等で固着するとともに、母屋４及び棟木２に当接する部分においては、母屋４及び棟木２の下面に延出して、この延出した部分を母屋又は棟木２の下面にステープル等で留めており、これにより、下地材８が棟木２又は母屋４に当接する部分近傍においては、垂木５の下面と下地材８との間に空間Ｓ３、Ｓ４を形成している。
【００３９】
また、図４及び図５において、前記閉鎖空間Ｓ２の下面を閉鎖する下地材８は、隅木６と当接する部分を前記隅木６の下面に延出しており、これにより、下地材８が隅木６と当接する部分近傍においては、配付け垂木７の下面と下地材８と間に空間Ｓ５を形成している。
【００４０】
更に、図６において、棟木２の端部近傍においては、即ち、隅木６と棟木２とが交わる部分近傍においては、隅木７の下面に延出させた下地材８を更に、棟木２の下面に延出しており、これにより、棟木２の端部近傍においては、隅木６の下面と下地材８との間に空間Ｓ６が形成されるようにしている。
【００４１】
次に、このように構成される本実施例の寄棟屋根の換気構造の作用について説明すると、まず、正面側屋根１ａ又は背面側屋根１ｃの軒桁部分から連通空間Ｓ１ａ内に入ってきた空気の流れについて説明すると、この空気は、図１において矢印Ｆで示すように、下地材８の上方側を通って棟木２に向かって上昇していった後に、棟木２の上方に備えた棟換気構造１１を介して屋根の上方側へ抜け出ていく。
【００４２】
次に、正面側屋根１ａ、背面側屋根１ｃ、又は側面側屋根１ｂの軒桁３側から配付け垂木７と隅木６により囲まれた閉鎖空間Ｓ２内に入ってきた空気の流れについて、図１における矢印Ｇを用いて説明すると、正面側屋根１ａ又は背面側屋根１ｃにおける閉鎖空間Ｓ２に入ってきた空気は、まず、図５において矢印で示すように、下地材８が隅木６と当接する部分近傍における配付け垂木７の下面と下地材８間の空間Ｓ５を通って隅木６に沿って上昇していく。そして、隅木６の先端部分近傍に行き着いた後に、配付け垂木７の下面と下地材８の間の空間を通って、配付け垂木７と垂木５間に入り、棟換気構造１１を介して屋根の外側に抜け出て行く。
【００４３】
また、側面側屋根１ｂの軒桁３側から配付け垂木７と隅木６により囲まれた閉鎖空間Ｓ２内に入ってきた空気は、まず、下地材８が隅木６と当接する部分近傍における配付け垂木７の下面と下地材８との間の空間Ｓ５を通って隅木６に沿って上昇していき（図５参照）、隅木６の先端部分近傍に行き着いた後に、隅木６の先端部分が設置されている棟木２の端部近傍において、隅木６の下面と下地材８との間の空間Ｓ６を通って、隅木６を挟んで隣り合う閉鎖空間Ｓ２内へ移動する。そして、配付け垂木７の下面と下地材８との間の空間Ｓ５を通って配付け垂木７と垂木５間に入り、棟換気構造１１を介して屋根の外側に抜け出て行く。
【００４４】
従って、本実施例の寄棟屋根の換気構造では、垂木５間の連通空間Ｓ１内に入ってきた空気のみならず、配付け垂木７と隅木６とで囲まれた閉鎖空間Ｓ２内に入ってきた空気をも排気可能である。
【００４５】
そしてこのとき、本実施例の寄棟屋根の換気構造では、垂木５の下面に下地材８を貼り付けるに際して、この下地材８を、棟木２に当接する部分においては棟木２の下面まで延出しており、隅木６に当接する部分において隅木６の下面まで延出し、更に、棟木２の端部近傍においては棟木２の下面まで延出するのみで良いため、断熱板材を母屋の下部に配設することで換気を可能にした施工方法と異なり、母屋の下端面に断熱材取付固定部材を固設する必要が無く、作業工程が増えてしまうことがないとともに、発泡ウレタン等の吹き付けにより断熱施工を行うことが可能である。
【００４６】
なお、方形屋根においては、垂木のすべてが配付け垂木となるために垂木間の連通空間が存在せず屋根材の下面におけるすべての空間が閉鎖空間となるために、下地材を配設するに際しては、本実施例において閉鎖空間Ｓ２の下側に下地材８を配設する方法を踏襲すればよい。
【実施例２】
【００４７】
次に、本発明の寄棟屋根の換気構造における他の実施例について説明すると、図７は、本実施例の寄棟屋根における骨組み部分を示す平面図であり、図８は、図７におけるＨ−Ｈ断面構造を拡大して示した図であり、図９は、図８におけるＩ−Ｉ線端面構造を拡大して示した図である。そして、本実施例の寄棟屋根の換気構造は、特にツーバーフォーに適した形態としている。
【００４８】
周知のように、ツーバーフォーの屋根においては、棟木の側面側に垂木を連結しており、垂木と棟木との高さ寸法は同一としている。また、隅木と配付け垂木との高さ寸法も同一としている。そのために、垂木の下面に貼り付けた下地材を棟木又は隅木の下面に延出した場合でも、下地材が棟木に当接する部分近傍及び下地材が隅木と当接する部分近傍において垂木と下地材との間に空間を形成することができない。そこで、本実施例では、下地材を棟木又は隅木の下面に延出するに際して、棟木と下地材との間、及び、隅木と下地材との間に空間を形成することとしている。
【００４９】
即ち、図８において、棟木２の下面に下地材８を延出するに際して、棟木２の下面にスペーサー１０を配置し、このスペーサー１０に下地材８をステープル等で留めている。そしてこれにより、棟木２の下面と下地材８との間、及び、棟木２の近傍における垂木５と下地材８との間に空間Ｓ７を形成している。
【００５０】
また、図９において、隅木６の下面に下地材８を延出するに際しては、隅木６の下面にもスペーサー１０を配置してこのスペーサー１０に下地材８をステープル等で留め、これにより、隅木６の下面と下地材８との間、及び、隅木６の近傍における垂木５と下地材８との間にも空間Ｓ８を形成している。
【００５１】
次に、このように構成される本実施例の寄棟屋根における換気構造の作用について説明すると、正面側屋根１ａの軒桁３側から垂木５間の空間Ｓ１に入ってきた空気は、図７において矢印Ｊで示すように、屋根の傾斜方向に向かって上昇していき、棟木２に行き着いた後に、棟木２の下面と下地８間の空間Ｓ７を通過して背面側屋根１ｃの垂木５間に入っていき、この垂木５間を下降していき背面側屋根１ｃの軒桁３より抜け出ていく。
【００５２】
一方、閉鎖空間Ｓ２内に入ってきた空気は、図７において矢印Ｋで示すように、屋根の傾斜方向に向かって上昇した後に、隅木６の下面と下地材８との間の空間Ｓ８を通って、隅木６を挟んで隣り合う閉鎖空間Ｓ２内に入り、その後、屋根の傾斜に沿って下降していき軒桁３から抜け出ていくか、あるいは、図７において矢印Ｌで示すように、隅木６の下面と下地材８との間の空間Ｓ８を通って隅木６に沿って上昇していき、隅木６の先端部分近傍に行き着いた後に、配付け垂木７の下面と下地材８との間の空間を通って配付け垂木７と垂木５間に入り、屋根の傾斜に沿って下降して軒桁３より抜け出て行く。
【００５３】
従って、本実施例の寄棟屋根の換気構造では、ツーバーフォーの場合であっても、配付け垂木７と隅木６とで囲まれた閉鎖空間Ｓ２内に入ってきた空気を排気することが可能である。
【００５４】
なお、本実施例の寄棟屋根の換気構造は、スペーサーを用いて、棟木２と下地材８との間、及び隅木６と下地材８との間に空間を形成したことを特徴としており、その他の構成等は前述の実施例と同様であるため、重複した説明は省略するとともに、同一部分には同一符号を付した。
【００５５】
また、本実施例におけるスペーサーの形状等は特に限定されないが、ブロック状のスペーサーの場合には等間隔を置いて複数個配置し、正面形状をラウンド状にして通気路が形成されている場合には棟木２又は隅木６に沿って連続して配置してもよい。
【産業上の利用可能性】
【００５６】
本発明では、空気が抜け出ることが不可能な閉鎖空間内の換気を可能にしているために、方形屋根等、換気が不可能な閉鎖空間を有する屋根の全般に適用可能である。
【図面の簡単な説明】
【００５７】
【図１】本発明の寄棟屋根の換気構造の実施例を説明するための図であり、寄棟屋根の骨組み部分の平面を示している。
【図２】図１におけるＡ−Ａ線端面を拡大して示した図である。
【図３】図１におけるＢ−Ｂ線断面部分を拡大して示した斜視図である。
【図４】図１におけるＤ−Ｄ線端面を拡大して示した図である。
【図５】図１におけるＣ−Ｃ線断面部分近傍を拡大して示した斜視図である。
【図６】図１におけるＥ−Ｅ線断面構造を示した図である
【図７】本発明の寄棟屋根の換気構造の第２実施例を説明するための図であり、寄棟屋根の骨組み部分の平面を示している。
【図８】図７におけるＨ−Ｈ断面構造を拡大して示した図である。
【図９】図７におけるＩ−Ｉ端面構造を拡大して示した図である。
【図１０】切妻屋根における換気構造を説明するための図である。
【図１１】図１０におけるＭ−Ｍ線断面構造を示す図である。
【図１２】図１０におけるＮ−Ｎ線断面構造を示す図である。
【図１３】寄棟屋根を説明するための図である。
【符号の説明】
【００５８】
１ａ    正面側屋根部分
１ｂ    側面側屋根部分
１ｃ    背面側屋根部分
２    棟木
３    軒桁
４    母屋
４ｂ    横架材
５    垂木
６    隅木
７    配付け垂木
８    下地材
９    断熱材
１０    スペーサー
１１    棟換気構造
Ｓ１    垂木間の空間（「連通空間」）
Ｓ２    閉鎖空間
Ｓ３    下地材が棟木に当接する部分近傍における下地材と垂木下面間の空間
Ｓ４    下地材が母屋に当接する部分近傍における下地材と垂木下面間の空間
Ｓ５    下地材が隅木と当接する部分近傍における下地材と配付け垂木下面間の空間
Ｓ６    棟木の端部近傍における下地材と隅木下面間の空間
Ｓ７    棟木の下面側に形成した空間
Ｓ８    隅木の下面側に形成した空間
【図１】
2007315118.tif 000003
【図２】
2007315118.tif 000004
【図３】
2007315118.tif 000005
【図４】
2007315118.tif 000006
【図５】
2007315118.tif 000007
【図６】
2007315118.tif 000008
【図７】
2007315118.tif 000009
【図８】
2007315118.tif 000010
【図９】
2007315118.tif 000011
【図１０】
2007315118.tif 000012
【図１１】
2007315118.tif 000013
【図１２】
2007315118.tif 000014
【図１３】
2007315118.tif 000015